(57)【要約】      （修正有）【課題】インクの吐出の再開を試みた場合であっても、また、インクジェット記録装置の動作温度が１０℃以上４０℃以下の温度範囲で変化した場合であっても、インクの吐出性能の低下を防止可能な水性洗浄液を提供する。【解決手段】水性洗浄液は、インクジェット記録装置において水性インクが吐出される面を洗浄する。詳しくは、水性洗浄液は、非イオン性界面活性剤と、グリコール類と、グリコールエーテル類とを含有する。非イオン性界面活性剤は、アミン型界面活性剤を含む。乾燥時の水性洗浄液の粘度（２５℃）が、９ｍＰａ・ｓ以上１３ｍＰａ・ｓ以下である。アンドレード式におけるＥ／Ｒ値が、３．１５×１０3ｍＰａ・ｓ×Ｋ以上３．４５×１０3ｍＰａ・ｓ×Ｋ以下である。【選択図】図４
2018202746.tif 000002
【特許請求の範囲】
【請求項１】
インクジェット記録装置においてインクジェット記録用水性インクが吐出される面を洗浄するインクジェット記録装置用水性洗浄液であって、
非イオン性界面活性剤と、グリコール類と、グリコールエーテル類とを含有し、
前記非イオン性界面活性剤は、アミン型界面活性剤を含み、
６０℃で１週間乾燥後の前記インクジェット記録装置用水性洗浄液の２５℃における粘度が、９ｍＰａ・ｓ以上１３ｍＰａ・ｓ以下であり、
横軸に絶対温度の逆数値をとり、縦軸に前記インクジェット記録装置用水性洗浄液の粘度の自然対数値をとったグラフにおいて、１０℃以上４０℃以下の温度範囲における前記インクジェット記録装置用水性洗浄液の粘度の温度特性が、最小二乗法で、３．１５×１０3以上３．４５×１０3以下の傾きを有する直線に近似される、インクジェット記録装置用水性洗浄液。
【請求項２】
前記グリコール類は、エチレングリコールを含み、
前記エチレングリコールの含有量が、１０質量％超２０質量％以下である、請求項１に記載のインクジェット記録装置用水性洗浄液。
【請求項３】
前記グリコール類は、１，３−プロパンジオールを含み、
前記１，３−プロパンジオールの含有量が、１０質量％超２０質量％以下である、請求項１又は２に記載のインクジェット記録装置用水性洗浄液。
【請求項４】
前記グリコールエーテル類は、トリエチレングリコールモノブチルエーテルを含み、
前記トリエチレングリコールモノブチルエーテルの含有量が、１０質量％以下である、請求項１〜３の何れか一項に記載のインクジェット記録装置用水性洗浄液。
【請求項５】
前記グリコール類の含有量と前記グリコールエーテル類の含有量との合計が、４５質量％以下である、請求項１〜４の何れか一項に記載のインクジェット記録装置用水性洗浄液。
【請求項６】
前記アミン型界面活性剤は、下記式（１−１）で表される構造を有するポリオキシアルキレンアルキルアミンを含む、請求項１〜５の何れか一項に記載のインクジェット記録装置用水性洗浄液。
【化１】
2018202746.tif 000009
上記式（１−１）において、Ｒ1は炭素数が１以上２４以下である炭化水素基を表す。Ａ1Ｏ及びＡ2Ｏは、各々独立に、オキシエチレン基とオキシプロピレン基とのうちの少なくとも１つを表す。ｍ１及びｎ１は、各々、０以上の整数を表し、１≦（ｍ１＋ｎ１）≦１００を満たす整数を表す。
【請求項７】
インクジェット記録用水性インクを用いて画像を形成するインクジェット記録装置であって、
前記インクジェット記録用水性インクを収容する第１タンクと、
請求項１〜６の何れか一項に記載のインクジェット記録装置用水性洗浄液を収容する第２タンクと、
下面の第１領域において開口するインク用ノズルを有するノズルヘッドと、
前記ノズルヘッドの前記下面に当接しながら前記下面に沿って移動するクリーニング部材と、
を備え、
前記インク用ノズルは、前記インクジェット記録用水性インクを、前記インク用ノズルの開口から鉛直方向下側へ吐出し、
前記ノズルヘッドは、さらに、前記下面のうち前記第１領域を除く第２領域において開口する洗浄液用ノズルを有し、
前記洗浄液用ノズルは、前記インクジェット記録装置用水性洗浄液を、前記洗浄液用ノズルの開口から鉛直方向下側へ突出する液滴の状態で、前記第２領域に供給し、
前記クリーニング部材は、前記第２領域に当接する位置から、前記第１領域に当接する位置へ、移動する、インクジェット記録装置。
【請求項８】
前記ノズルヘッドは、記録ヘッドと、洗浄液供給部とを有し、
前記記録ヘッドには、前記インク用ノズルが設けられ、
前記洗浄液供給部には、前記洗浄液用ノズルが設けられ、
前記インク用ノズルは、前記記録ヘッドの下面において開口し、
前記洗浄液用ノズルは、前記洗浄液供給部の下面において開口する、請求項７に記載のインクジェット記録装置。
【請求項９】
前記洗浄液供給部の前記下面は、前記記録ヘッドの前記下面よりも、鉛直方向下側に位置する、請求項８に記載のインクジェット記録装置。
【請求項１０】
請求項７〜９の何れか一項に記載のインクジェット記録装置において前記インクジェット記録用水性インクが吐出される面を洗浄する方法であって、
前記インクジェット記録用水性インクを、前記インク用ノズルから排出させるパージ工程と、
請求項１〜６の何れか一項に記載のインクジェット記録装置用水性洗浄液を、前記洗浄液用ノズルの開口から鉛直方向下側へ突出する液滴の状態で、前記第２領域に供給する供給工程と、
前記クリーニング部材を、前記ノズルヘッドの前記下面に当接させながら、前記第２領域に当接する位置から前記第１領域に当接する位置へ前記下面に沿って移動させるワイプ工程と、
を含み、
前記パージ工程と、前記供給工程とは、各々、前記ワイプ工程よりも前に行われる、洗浄方法。
【発明の詳細な説明】
【技術分野】
【０００１】
本発明は、インクジェット記録装置用水性洗浄液と、インクジェット記録装置と、洗浄方法とに関する。
【背景技術】
【０００２】
インクジェット記録装置を用いて画像を形成する場合、まず、インクジェット記録用インク（以下、単に「インク」と記載することがある）を記録ヘッドの吐出面から吐出する。次に、記録ヘッドのメンテナンスを行う。詳しくは、まず、インクを加圧して吐出面から排出させる（パージ動作）。また、洗浄液を吐出面に供給する。洗浄液としては、例えば、特許文献１に記載のメンテナンス液が知られている。その後、例えばワイプを用いて、吐出面を払拭する（ワイプ動作）。
【先行技術文献】
【特許文献】
【０００３】
【特許文献１】特開２０１３−１４６９６５号公報
【発明の概要】
【発明が解決しようとする課題】
【０００４】
インクを記録ヘッドの吐出面から吐出すると、インクが吐出面に付着することがある。付着したインクが吐出面で乾燥すると、乾燥したインクが吐出面に固着することがある。しかし、パージ動作と吐出面への洗浄液の供給とを行えば、吐出面に固着したインク（以下、「固着インク」と記載することがある）をパージインク（パージ動作で排出されるインク）で溶解できる。固着インクがパージインクに溶解された状態でワイプ動作を行えば、固着インクを吐出面から除去できる。
【０００５】
しかし、ワイプ動作において、洗浄液の拭き残りが発生することがある。そして、洗浄液が吐出面に残存した状態でインクが長期間（例えば１週間以上）にわたって記録ヘッドの吐出面から吐出されなければ、残存した洗浄液が吐出面で乾燥して吐出面に固着することがある。ここで、記録ヘッドには、インクを吐出するノズルが複数形成されており、複数のノズルは、各々、記録ヘッドの吐出面で開口する。そのため、洗浄液が吐出面に固着すると、洗浄液の固着により形成された膜（以下、「固着膜」と記載する）がノズルの開口（吐出口）を塞ぐことがある。
【０００６】
また、インクジェット記録装置には、１０℃以上４０℃以下の温度範囲での動作が求められている。しかし、インクジェット記録装置の動作温度が変化すると、インクジェット記録装置に収容されている洗浄液の温度が変化するため、洗浄液の物性が変化することがある。洗浄液の物性が変化すると、固着インクの溶解が難しくなることがあり、その結果、吐出面からの固着インクの除去が難しくなることがある。
【０００７】
本発明は、かかる実情に鑑みてなされたものであり、インクの吐出の再開を試みた場合であっても、また、インクジェット記録装置の動作温度が１０℃以上４０℃以下の温度範囲で変化した場合であっても、インクの吐出性能の低下を防止可能なインクジェット記録装置用水性洗浄液を提供することを目的とする。本発明の別の目的は、このようなインクジェット記録装置用水性洗浄液を含むインクジェット記録装置の提供であり、また、このようなインクジェット記録装置用水性洗浄液を用いた洗浄方法の提供である。
【課題を解決するための手段】
【０００８】
本発明に係るインクジェット記録装置用水性洗浄液は、インクジェット記録装置においてインクジェット記録用水性インクが吐出される面を洗浄する。詳しくは、本発明に係るインクジェット記録装置用水性洗浄液は、非イオン性界面活性剤と、グリコール類と、グリコールエーテル類とを含有する。前記非イオン性界面活性剤は、アミン型界面活性剤を含む。６０℃で１週間乾燥後の前記インクジェット記録装置用水性洗浄液の２５℃における粘度が、９ｍＰａ・ｓ以上１３ｍＰａ・ｓ以下である。横軸に絶対温度の逆数値をとり、縦軸に前記インクジェット記録装置用水性洗浄液の粘度の自然対数値をとったグラフにおいて、１０℃以上４０℃以下の温度範囲における前記インクジェット記録装置用水性洗浄液の粘度の温度特性が、最小二乗法で、３．１５×１０3以上３．４５×１０3以下の傾きを有する直線に近似される。
【０００９】
本発明に係るインクジェット記録装置は、インクジェット記録用水性インクを用いて画像を形成する。詳しくは、本発明に係るインクジェット記録装置は、前記インクジェット記録用水性インクを収容する第１タンクと、前述の構成を有するインクジェット記録装置用水性洗浄液を収容する第２タンクと、下面の第１領域において開口するインク用ノズルを有するノズルヘッドと、前記ノズルヘッドの前記下面に当接しながら前記下面に沿って移動するクリーニング部材と、を備える。前記インク用ノズルは、前記インクジェット記録用水性インクを、前記インク用ノズルの開口から鉛直方向下側へ吐出する。前記ノズルヘッドは、さらに、前記下面のうち前記第１領域を除く第２領域において開口する洗浄液用ノズルを有する。前記洗浄液用ノズルは、前記インクジェット記録装置用水性洗浄液を、前記洗浄液用ノズルの開口から鉛直方向下側へ突出する液滴の状態で、前記第２領域に供給する。前記クリーニング部材は、前記第２領域に当接する位置から、前記第１領域に当接する位置へ、移動する。
【００１０】
本発明に係る洗浄方法は、前述の構成を有するインクジェット記録装置において前記インクジェット記録用水性インクが吐出される面を洗浄する方法である。詳しくは、本発明に係る洗浄方法は、前記インクジェット記録用水性インクを、前記インク用ノズルから排出させるパージ工程と、前述の構成を有するインクジェット記録装置用水性洗浄液を、前記洗浄液用ノズルの開口から鉛直方向下側へ突出する液滴の状態で、前記第２領域に供給する供給工程と、前記クリーニング部材を、前記ノズルヘッドの前記下面に当接させながら、前記第２領域に当接する位置から前記第１領域に当接する位置へ前記下面に沿って移動させるワイプ工程と、を含む。前記パージ工程と、前記供給工程とは、各々、前記ワイプ工程よりも前に行われる。
【発明の効果】
【００１１】
本発明によれば、インクの吐出の再開を試みた場合であっても、また、インクジェット記録装置の動作温度が１０℃以上４０℃以下の温度範囲で変化した場合であっても、インクの吐出性能が低下することを防止できる。
【図面の簡単な説明】
【００１２】
【図１】本発明に係るインクジェット記録装置の構成の一例を示す図である。
【図２】本発明に係るインクジェット記録装置に含まれるノズルヘッドの構成の一例を示す図である。
【図３】本発明に係る画像形成方法の一工程を説明する図である。
【図４】本発明に係る画像形成方法の一工程を説明する図である。
【発明を実施するための形態】
【００１３】
本発明の実施形態について説明する。なお、粉体に関する評価結果（形状又は物性などを示す値）は、何ら規定していなければ、相当数の粒子について測定した値の個数平均である。また、粉体の体積中位径（Ｄ50）の測定値は、何ら規定していなければ、レーザー回折式粒度分布測定装置（マルバーン社製の「Ｚｅｔａｓｉｚｅｒ  ｎａｎｏ−ＺＳ（ゼータサイザー  ナノＺＳ）」）を用いて測定した値である。
【００１４】
また、化合物名の後に「系」を付けて、化合物及びその誘導体を包括的に総称する場合がある。化合物名の後に「系」を付けて重合体名を表す場合には、重合体の繰返し単位が化合物又はその誘導体に由来することを意味する。
【００１５】
また、以下では、「インクジェット記録装置用水性洗浄液」を「水性洗浄液」と記載する。「インクジェット記録用水性インク」を「水性インク」と記載する。「６０℃で１週間乾燥後の水性洗浄液の２５℃における粘度」を「乾燥時の水性洗浄液の粘度（２５℃）」と記載し、「乾燥などの前処理が行われていない水性洗浄液の粘度」を単に「水性洗浄液の粘度」と記載する。横軸に絶対温度の逆数値をとり、縦軸に水性洗浄液の粘度の自然対数値をとったグラフにおいて、１０℃以上４０℃以下の温度範囲における水性洗浄液の粘度の温度特性が最小二乗法で直線に近似された場合、その直線の傾きを「アンドレード式におけるＥ／Ｒ値」と記載する。インクジェット記録装置の動作温度が１０℃以上４０℃以下の温度範囲で変化することを単に「インクジェット記録装置の動作温度が変化すること」と記載する。
【００１６】
［水性洗浄液］
本実施形態に係る水性洗浄液は、インクジェット記録装置において水性インクが吐出される面（吐出面）を洗浄する。「吐出面の洗浄」には、固着インクを吐出面から除去することが含まれる。なお、水性洗浄液は、吐出面の洗浄だけでなく、ワイプ動作において使用されるブレードの洗浄、又は搬送ローラーの洗浄にも使用できる。このような水性洗浄液は、非イオン性界面活性剤と、グリコール類と、グリコールエーテル類とを含有する。非イオン性界面活性剤は、アミン型界面活性剤を含む。乾燥時の水性洗浄液の粘度（２５℃）が、９ｍＰａ・ｓ以上１３ｍＰａ・ｓ以下である。アンドレード式におけるＥ／Ｒ値が、３．１５×１０3ｍＰａ・ｓ×Ｋ以上３．４５×１０3ｍＰａ・ｓ×Ｋ以下である。まず、水性インクの一般的な構成と、固着インクの形成プロセスとを、順に説明する。
【００１７】
＜水性インクの一般的な構成＞
水性インクは、一般的に、水性溶媒と顔料分散体とを有する。顔料分散体は、複数の顔料粒子が水性溶媒中において互いに分散されて構成されたものを意味する。顔料粒子の各々は、一般的に、顔料を含有する顔料コアと、顔料コアの表面に設けられた被覆樹脂とを含む。
【００１８】
水性インクでは、顔料粒子が、互いに分散する。詳しくは、多くの場合、被覆樹脂としては、樹脂塩を使用する。ここで、樹脂塩は、分子内に、電離可能な官能基（例えばＣＯＯＮａ基）を有する。また、水性インクは、十分な量の水性溶媒を含有する。これらのことから、被覆樹脂の表面では、電離が起こり易い。そのため、被覆樹脂の表面には、電気二重層が形成される。被覆樹脂の表面に電気二重層が形成されると、顔料粒子同士が電気的に反発するため、顔料粒子が互いに分散する。
【００１９】
＜固着インクの形成プロセス＞
固着インクは以下に示すプロセスで形成される、と考えられる。
水性インクを記録ヘッドの吐出面から記録媒体へ吐出すると、水性インクが吐出面に付着することがある。水性インクが吐出面に付着すると、水性インクと空気との接触に起因して水性インクが乾燥する。水性インクが乾燥すると、被覆樹脂が膜を形成し易い。
【００２０】
詳しくは、水性インクが乾燥すると、水性インクにおける水性溶媒の含有量が減少するため、被覆樹脂の表面では電離が起こり難くなる。これにより、顔料粒子同士は電気的に反発し難くなるため、顔料粒子は互いに凝集し易くなる。顔料粒子が互いに凝集すると、互いに異なる顔料コアの表面に存在する被覆樹脂が接触し易くなる。その結果、被覆樹脂からなる膜（以下、「樹脂膜」と記載する）が形成され易くなる。このように、水性インクが乾燥すると、顔料コアの凝集体が樹脂膜で被覆される。このようにして、固着インクが形成される。
【００２１】
＜所定の効果が得られる理由＞
続いて、本実施形態に係る水性洗浄液を用いて吐出面を洗浄した場合に所定の効果が得られる理由として考えられる事項を説明する。ここで、所定の効果には、効果１〜３が含まれる。効果１は、インクの吐出の再開を試みた場合であっても、インクの吐出性能の低下を防止できることである。効果２は、固着インクを吐出面から除去できることである。効果３は、インクジェット記録装置の動作温度が変化した場合であっても、インクの吐出性能の低下を防止できることである。
【００２２】
（効果１）
本実施形態では、乾燥時の水性洗浄液の粘度（２５℃）が９ｍＰａ・ｓ以上１３ｍＰａ・ｓ以下である。乾燥時の水性洗浄液の粘度（２５℃）は、水性洗浄液が吐出面で乾燥して吐出面に固着した場合における水性洗浄液の粘度に相当する、と考えられる。そのため、乾燥時の水性洗浄液の粘度（２５℃）が９ｍＰａ・ｓ以上１３ｍＰａ・ｓ以下であれば、ワイプ動作において水性洗浄液の拭き残りが発生したために水性洗浄液が吐出面に固着した場合であっても、吐出面に固着した水性洗浄液の粘度が高くなり過ぎることを防止できる。これにより、吐出口が固着膜で塞がれた場合であっても、インクの吐出の再開時にパージ動作を行えば、固着膜を吐出口から剥がすことができる。よって、インクの吐出の再開時には、水性インクを所望の吐出方向に吐出させることができる。したがって、インクの吐出の再開時にインクの吐出性能が低下することを防止できる。
【００２３】
また、乾燥時の水性洗浄液の粘度（２５℃）が９ｍＰａ・ｓ以上１３ｍＰａ・ｓ以下であれば、水性洗浄液の粘度を吐出面の洗浄に適した値とすることもできる。例えば、水性洗浄液の粘度が高くなり過ぎることを防止できる。これにより、ワイプ動作において水性洗浄液の拭き残りが発生することを防止できるため、水性洗浄液が吐出面で乾燥して吐出面に固着することを防止できる。よって、ワイプ動作後に吐出口が固着膜で塞がれることを防止できる。このことによっても、インクの吐出の再開時にインクの吐出性能が低下することを防止できる。なお、乾燥時の水性洗浄液の粘度（２５℃）は、後述の実施例に記載の方法、又はそれに準拠する方法で、測定できる。
【００２４】
（効果２）
前述の＜固着インクの形成プロセス＞で説明したように、顔料粒子が互いに凝集して、固着インクが形成される。しかし、多くの場合、水性洗浄液は、固着インクの形成中に吐出面へ供給されるため、顔料粒子が互いに凝集する前に吐出面へ供給される。
【００２５】
本実施形態に係る水性洗浄液は、アミン型界面活性剤を含有する。ここで、アミン型界面活性剤は、分子内にアミノ基を有するため、他の界面活性剤に比べて隣り合う顔料粒子の間へ浸入し易い。そのため、本実施形態に係る水性洗浄液は、他の界面活性剤を含有する水性洗浄液に比べ、隣り合う顔料粒子の間へ浸入し易い。なお、「他の界面活性剤」には、アミン型界面活性剤とは異なる非イオン性界面活性剤と、カチオン性界面活性剤と、アニオン性界面活性剤と、両性界面活性剤とが含まれる。
【００２６】
また、本実施形態では、乾燥時の水性洗浄液の粘度（２５℃）が９ｍＰａ・ｓ以上１３ｍＰａ・ｓ以下である。これにより、水性洗浄液の粘度を吐出面の洗浄に適した値とすることができる。詳しくは、水性洗浄液の粘度が高くなり過ぎることを防止できる。このことによっても、本実施形態に係る水性洗浄液は、隣り合う顔料粒子の間へ浸入し易い。また、水性洗浄液の粘度が低くなり過ぎることを防止できる。これにより、吐出面に供給された水性洗浄液がクリーニング部材（例えばブレード）をつたって鉛直方向下側へ流れ落ちることを防止できる。よって、水性洗浄液が隣り合う顔料粒子の間へ浸入する量（以下、単に「水性洗浄液の浸入量」と記載する）を確保できる。
【００２７】
このように、本実施形態では、水性洗浄液は、隣り合う顔料粒子の間へ浸入し易い。また、水性洗浄液の浸入量を確保できる。これらのことから、顔料粒子の凝集を防止できる。又は、顔料粒子が凝集するタイミングを遅らせることができる。よって、パージインクが、隣り合う顔料粒子の間へ浸入し易くなるため、固着インクが、パージインクに溶解され易くなる。したがって、吐出面への水性洗浄液の供給とパージ動作とを行った後にワイプ動作を行うと、固着インクを吐出面から除去できる。
【００２８】
（効果３）
本実施形態では、アンドレード式におけるＥ／Ｒ値が３．１５×１０3ｍＰａ・ｓ×Ｋ以上３．４５×１０3ｍＰａ・ｓ×Ｋ以下である。ここで、アンドレード式におけるＥ／Ｒ値が大きいことは、温度が変化したときに水性洗浄液の粘度が大幅に変化することを意味する。一方、アンドレード式におけるＥ／Ｒ値が小さいことは、温度が変化しても水性洗浄液の粘度が大幅に変化し難いことを意味する。そして、アンドレード式におけるＥ／Ｒ値が３．１５×１０3ｍＰａ・ｓ×Ｋ以上３．４５×１０3ｍＰａ・ｓ×Ｋ以下であれば、インクジェット記録装置の動作温度が変化した場合であっても、水性洗浄液の粘度を吐出面の洗浄に適した値に維持できる。
【００２９】
前述の（効果２）で説明したように、水性洗浄液の粘度を吐出面の洗浄に適した値に維持できれば、インクの吐出性能の低下を防止できる。本実施形態では、インクジェット記録装置の動作温度が変化した場合であっても水性洗浄液の粘度を吐出面の洗浄に適した値に維持できるため、インクジェット記録装置の動作温度が変化した場合であってもインクの吐出性能の低下を防止できる。なお、アンドレード式におけるＥ／Ｒ値は、後述の実施例に記載の方法、又はそれに準拠する方法で、測定できる。
【００３０】
［水性洗浄液の好ましい組成］
一般的に、水性洗浄液は、水性溶媒と界面活性剤とを含有し、溶解安定剤と保湿剤とｐＨ調整剤とのうちの少なくとも１つをさらに含有することがある。本発明者は、水性洗浄液に含まれる材料の種類及び含有量を変更して複数種の水性洗浄液を調製し、乾燥時の水性洗浄液の粘度（２５℃）を測定し、アンドレード式におけるＥ／Ｒ値を求めた。その結果、グリコール類の材料、グリコール類の含有量、グリコールエーテル類の材料、及びグリコールエーテル類の含有量のうちの少なくとも１つを変更すると、乾燥時の水性洗浄液の粘度（２５℃）が変化し易く、アンドレード式におけるＥ／Ｒ値が変化し易いことが、分かった。以下、得られた知見を説明する。
【００３１】
＜グリコール類＞
グリコール類とは、脂肪族炭化水素において２つの炭素原子の各々に結合されている１つの水素原子が水酸基で置換された構造を有する化合物の総称である。脂肪族炭化水素には、鎖式脂肪族炭化水素と、環式脂肪族炭化水素とが含まれる。
【００３２】
グリコール類は、水性洗浄液において、水性溶媒を構成でき、保湿剤として機能することもできる。グリコール類は、エチレングリコール（以下、「ＥＧ」と記載する）及び１，３−プロパンジオール（以下、「１，３−ＰＧ」と記載する）のうちの少なくとも１つを含むことが好ましい。より好ましくは、グリコール類は、ＥＧと１，３−ＰＧとの両方を含む。
【００３３】
ＥＧの含有量が多くなると、乾燥時の水性洗浄液の粘度（２５℃）が低くなる傾向にあり、アンドレード式におけるＥ／Ｒ値が大きくなる傾向にある（実施例１と比較例２とを参照）。一方、ＥＧの含有量が少なくなると、乾燥時の水性洗浄液の粘度（２５℃）が高くなる傾向にあり、アンドレード式におけるＥ／Ｒ値が小さくなる傾向にある（実施例２と比較例１とを参照）。ＥＧの含有量が変化すると、アンドレード式におけるＥ／Ｒ値が大幅に変化し易い。
【００３４】
より具体的には、ＥＧの含有量が１０質量％超であれば、乾燥時の水性洗浄液の粘度（２５℃）が１３ｍＰａ・ｓ以下となり易く、アンドレード式におけるＥ／Ｒ値が３．１５×１０3ｍＰａ・ｓ×Ｋ以上となり易い。そのため、ＥＧの含有量は、１０質量％超であることが好ましい。より好ましくは、ＥＧの含有量は、１１質量％以上である。
【００３５】
また、ＥＧの含有量が２０質量％以下であれば、乾燥時の水性洗浄液の粘度（２５℃）が９ｍＰａ・ｓ以上となり易く、アンドレード式におけるＥ／Ｒ値が３．４５×１０3ｍＰａ・ｓ×Ｋ以下となり易い。そのため、ＥＧの含有量は、２０質量％以下であることが好ましい。より好ましくは、ＥＧの含有量は、１８質量％以下である。
【００３６】
ＥＧは、イオン交換水に比べ、高粘度な液体である。そのため、ＥＧの含有量が１０質量％超であれば、水性洗浄液の粘度が低くなり過ぎることを防止できる。ＥＧの含有量が２０質量％以下であれば、水性洗浄液の粘度が高くなり過ぎることを防止できる。このように、ＥＧの含有量が１０質量％超２０質量％以下であれば、水性洗浄液の粘度を吐出面の洗浄に適した値とすることができるという効果も得られ易い。
【００３７】
１，３−ＰＧの含有量が多くなると、乾燥時の水性洗浄液の粘度（２５℃）が低くなる傾向にあり、アンドレード式におけるＥ／Ｒ値が大きくなる傾向にある（実施例２と比較例６とを参照）。一方、１，３−ＰＧの含有量が少なくなっても、乾燥時の水性洗浄液の粘度（２５℃）が低くなる傾向にあり、アンドレード式におけるＥ／Ｒ値が大きくなる傾向にある（実施例２と比較例５とを参照）。また、１，３−ＰＧの含有量が変化すると、乾燥時の水性洗浄液の粘度（２５℃）は大幅に変化し易いが、アンドレード式におけるＥ／Ｒ値は大幅に変化し難い（実施例２と比較例５及び６とを参照）。
【００３８】
より具体的には、１，３−ＰＧの含有量が１０質量％超２０質量％以下であれば、乾燥時の水性洗浄液の粘度（２５℃）が９ｍＰａ・ｓ以上となり易い。そのため、１，３−ＰＧの含有量は、１０質量％超２０質量％以下であることが好ましい。より好ましくは、１，３−ＰＧの含有量が１１質量％以上１８質量％以下である。一方、１，３−ＰＧの含有量が１０質量％以下であっても、また１，３−ＰＧの含有量が２０質量％超であっても、アンドレード式におけるＥ／Ｒ値が３．１５×１０3ｍＰａ・ｓ×Ｋ以上３．４５×１０3ｍＰａ・ｓ×Ｋ以下となることがある（比較例５及び６を参照）。
【００３９】
１，３−ＰＧは、ＥＧと同様、イオン交換水に比べて高粘度な液体である。そのため、１，３−ＰＧの含有量が１０質量％超２０質量％以下であれば、水性洗浄液の粘度を吐出面の洗浄に適した値とすることができるという効果も得られ易い。
【００４０】
グリコール類がＥＧと１，３−ＰＧとの両方を含む場合、ＥＧの含有量が１０質量％超２０質量％以下であり、且つ１，３−ＰＧの含有量が１０質量％超２０質量％以下であることが好ましい。より好ましくは、ＥＧの含有量が１１質量％以上１８質量％以下であり、且つ１，３−ＰＧの含有量が１１質量％以上１８質量％以下である。また、グリコール類がＥＧと１，３−ＰＧとの両方を含む場合、乾燥時の水性洗浄液の粘度（２５℃）と、アンドレード式におけるＥ／Ｒ値とは、何れも、１，３−ＰＧの含有量の変化よりも、ＥＧの含有量の変化に、影響され易い（実施例２と比較例３とを参照）。
【００４１】
なお、グリコール類は、ＥＧ及び１，３−ＰＧを除く他の化合物をさらに含んでもよい。ＥＧ及び１，３−ＰＧを除く他の化合物としては、例えば、後述の＜溶解安定剤と保湿剤＞に記載のアルキレングリコール類（ＥＧ及び１，３−ＰＧを除く）を挙げることができる。
【００４２】
＜グリコールエーテル類＞
グリコールエーテル類は、グリコール類の片末端又は両末端の水酸基が炭化水素基で置換された構造を有する化合物の総称である。グリコール類については、前述したとおりである。
【００４３】
グリコールエーテル類は、水性洗浄液において、水性溶媒を構成できる。グリコールエーテル類は、トリエチレングリコールモノブチルエーテル（以下、「ＢＴＧ」と記載する）を含むことが好ましい。
【００４４】
ＢＴＧの含有量が少なくなると、乾燥時の水性洗浄液の粘度（２５℃）が高くなる傾向にあり、アンドレード式におけるＥ／Ｒ値が大幅に小さくなる傾向にある（実施例１と実施例２とを参照）。
【００４５】
より具体的には、ＢＴＧの含有量が１０質量％以下であれば、乾燥時の水性洗浄液の粘度（２５℃）が９ｍＰａ・ｓ以上となり易く、アンドレード式におけるＥ／Ｒ値が３．４５×１０3ｍＰａ・ｓ×Ｋ以下となり易い。そのため、ＢＴＧの含有量は、１０質量％以下であることが好ましい。より好ましくは、ＢＴＧの含有量は、３質量％以上１０質量％以下である。
【００４６】
ＢＴＧは、ＥＧと同様、イオン交換水に比べて高粘度な液体である。そのため、ＢＴＧの含有量が１０質量％以下であれば、水性洗浄液の粘度が高くなり過ぎることを防止できるという効果も得られ易い。
【００４７】
なお、グリコールエーテル類は、ＢＴＧを除く他の化合物をさらに含んでもよい。ＢＴＧを除く他の化合物としては、例えば、後述の＜水性溶媒＞に記載のグリコールエーテル類（ＢＴＧを除く）を挙げることができる。
【００４８】
＜グリコール類とグリコールエーテル類＞
水性洗浄液は、グリコール類とグリコールエーテル類との両方を含むことが好ましく、より具体的にはＥＧと１，３−ＰＧとＢＴＧとを含むことが好ましい。より好ましくは、ＥＧの含有量が１０質量％超２０質量％以下であり、１，３−ＰＧの含有量が１０質量％超２０質量％以下であり、且つＢＴＧの含有量が１０質量％以下である。さらに好ましくは、ＥＧの含有量が１１質量％以上１８質量％以下であり、１，３−ＰＧの含有量が１１質量％以上１８質量％以下であり、且つＢＴＧの含有量が３質量％以上１０質量％以下である。
【００４９】
好ましくは、グリコール類の含有量とグリコールエーテル類の含有量との合計が、４５質量％以下である（実施例１〜３と比較例２及び４とを参照）。これにより、乾燥時の水性洗浄液の粘度（２５℃）が９ｍＰａ・ｓ以上となり易く、アンドレード式におけるＥ／Ｒ値が３．４５×１０3ｍＰａ・ｓ×Ｋ以下となり易い。より好ましくは、グリコール類の含有量とグリコールエーテル類の含有量との合計が、２０質量％以上４５質量％以下である。
【００５０】
［水性洗浄液に含まれる材料の例示］
前述したように、水性洗浄液は、アミン型界面活性剤と、グリコール類と、グリコールエーテル類とを含有する。
【００５１】
＜アミン型界面活性剤＞
アミン型界面活性剤は、例えば、ポリオキシアルキレンアルキルアミンであることが好ましい。ポリオキシアルキレンアルキルアミンは、下記式（１−１）で表される構造を有することが好ましい。ポリオキシアルキレンアルキルアミンとしては、例えば、花王株式会社製「アミート（登録商標）１０５Ａ」、花王株式会社製「アミート３２０」、又は、三洋化成工業株式会社製「ピュアミール（登録商標）ＥＰ−３００Ｓ」を使用できる。
【００５２】
【化１】
2018202746.tif 000003
【００５３】
上記式（１-１）において、Ｒ1は炭素数が１以上２４以下である炭化水素基を表す。好ましくは、Ｒ1は炭素数が１以上２４以下であるアルキル基又はアルケニル基を表す。Ａ1Ｏ、及びＡ2Ｏは、各々独立に、オキシエチレン基とオキシプロピレン基とのうちの少なくとも１つを表す。ｍ１及びｎ１は、各々、０以上の整数を表し、１≦（ｍ１＋ｎ１）≦１００を満たす整数を表す。好ましくは、ｍ１及びｎ１は、各々、０以上の整数を表し、１≦（ｍ１＋ｎ１）≦４０を満たす整数を表す。
【００５４】
水性洗浄液におけるアミン型界面活性剤の含有量は、０．１質量％以上２０．０質量％以下であることが好ましい。これにより、水性洗浄液の浸入量を確保できる。水性洗浄液におけるアミン型界面活性剤の含有量は、より好ましくは０．１質量％以上１０．０質量％以下であり、さらに好ましくは０．５質量％以上７．０質量％以下である。
【００５５】
水性洗浄液が２種以上のアミン型界面活性剤を含有する場合には、水性洗浄液におけるアミン型界面活性剤の含有量の合計が０．１質量％以上２０．０質量％以下であることが好ましい。より好ましくは、水性洗浄液におけるアミン型界面活性剤の含有量の合計が０．１質量％以上１０．０質量％以下である。さらに好ましくは、水性洗浄液におけるアミン型界面活性剤の含有量の合計が０．５質量％以上７．０質量％以下である。
【００５６】
なお、アミン型界面活性剤は、非イオン性界面活性剤である。そのため、本実施形態に係る水性洗浄液がアミン型界面活性剤を含有すれば、水性洗浄液の発泡性を低く抑えることができる。また、人体にとって低害な水性洗浄液を提供できる。
【００５７】
＜水性溶媒＞
水性洗浄液は、水性溶媒をさらに含有することが好ましい。水性溶媒は、水を含有することが好ましく、より好ましくはイオン交換水を含有する。水性洗浄液における水の含有量は、２０質量％以上７０質量％以下であることが好ましい。
【００５８】
例えば、水性溶媒は、イオン交換水と、グリセリン及び／又はグリコール類と、アルコール及び／又はグリコールエーテル類とを含有することが好ましい。水性洗浄液がグリセリン及び／又はグリコール類を含有すれば、水性洗浄液の乾燥をさらに防止できる。グリコール類は、ＥＧ及び１，３−ＰＧのうちの少なくとも１つを含むことが好ましい。アルコールとしては、例えば、ソルビトールに代表される糖アルコールを使用することもできる。グリコールエーテル類としては、例えば、ジエチレングリコールモノエチルエーテル、トリエチレングリコールモノブチルエーテル（ＢＴＧ）、トリエチレングリコールモノイソブチルエーテル、トリエチレングリコールモノイソプロピルエーテル、又はジエチレングリコールモノノルマルブチルエーテルが挙げられる。好ましくは、グリコールエーテル類は、ＢＴＧを含む。
【００５９】
＜溶解安定剤と保湿剤＞
より好ましくは、水性洗浄液は、溶解安定剤と保湿剤とのうちの少なくとも１つをさらに含有する。水性インクは、多くの場合、溶解安定剤と保湿剤とを含有する。そのため、水性洗浄液が溶解安定剤と保湿剤とのうちの少なくとも１つをさらに含有すれば、水性インクに対する水性洗浄液の親和性を高めることができる。よって、隣り合う顔料粒子の間への水性洗浄液の浸入がさらに容易となる。
【００６０】
溶解安定剤は、好ましくは、２−ピロリドン、Ｎ−メチル−２−ピロリドン、及びγ−ブチローラークトンのうちの少なくとも１つである。水性洗浄液における溶解安定剤の含有量は、好ましくは１質量％以上２０質量％以下であり、より好ましくは３質量％以上１５質量％以下である。
【００６１】
保湿剤は、好ましくは、ポリアルキレングリコール類、アルキレングリコール類、及びグリセリンのうちの少なくとも１つである。ポリアルキレングリコール類は、ポリエチレングリコール、又はポリプロピレングリコールであることが好ましい。アルキレングリコール類は、エチレングリコール（ＥＧ）、プロピレングリコール、ブチレングリコール、ジエチレングリコール、ジプロピレングリコール、１，３−プロパンジオール（１，３−ＰＧ）、トリエチレングリコール、トリプロピレングリコール、１，２，６−ヘキサントリオール、チオジグリコール、１，３−ブタンジオール、又は１，５−ペンタンジオールであることが好ましい。より好ましくは、アルキレングリコール類は、ＥＧ及び１，３−ＰＧのうちの少なくとも１つを含む。水性洗浄液における保湿剤の含有量は、好ましくは２質量％以上３０質量％以下であり、より好ましくは１０質量％以上２５質量％以下である。
【００６２】
＜ｐＨ調整剤＞
より好ましくは、水性洗浄液は、ｐＨ調整剤をさらに含有する。これにより、水性洗浄液が弱塩基性を示し易い。水性インクは、多くの場合、弱塩基性を示す。そのため、水性洗浄液がｐＨ調整剤をさらに含有すれば、水性インクに対する水性洗浄液の親和性を高めることができる。よって、隣り合う顔料粒子の間への水性洗浄液の浸入がさらに容易となる。
【００６３】
ｐＨ調整剤は、アルカリ金属塩であることが好ましい。アルカリ金属塩は、アルカリ金属の水酸化物であることが好ましい。より好ましくは、アルカリ金属塩は、水酸化リチウムと水酸化ナトリウムと水酸化カリウムと水酸化セシウムとのうちの少なくとも１つを含む。水性洗浄液のｐＨが８．５以上１０以下となるように、水性洗浄液におけるｐＨ調整剤の含有量を決定することが好ましい。
【００６４】
［水性洗浄液の好ましい製造方法］
水性洗浄液の好ましい製造方法は、材料（例えば、アミン型界面活性剤とグリコール類とグリコールエーテル類）を所定の配合量で均一に混合する工程を含む。攪拌機（例えば、新東科学株式会社製「スリーワンモーター  ＢＬ−６００」）を用いて材料を混合することが好ましい。材料を混合した後、必要に応じてろ過を行う。
【００６５】
［インクジェット記録装置と画像形成方法］
本実施形態に係る水性洗浄液を用いた吐出面の洗浄方法は、特に限定されない。例えば、水性洗浄液を鉛直方向上側から鉛直方向下側へ供給する供給機構を備えたインクジェット記録装置において、本実施形態に係る水性洗浄液を用いて吐出面を洗浄しても、前述の効果１〜３を得ることができる。以下、図１〜図４を用いて、前述の供給機構を備えるインクジェット記録装置の構成と、そのインクジェット記録装置を用いた画像形成方法とを、説明する。図１は、前述の供給機構を備えるインクジェット記録装置の構成を示す図である。図２は、図１に示すインクジェット記録装置に含まれるノズルヘッドの構成を示す図である。図３及び図４は、各々、図１に示すインクジェット記録装置を用いた画像形成方法の一工程を説明する図である。ここで、図１〜図４に示すＸ軸、Ｙ軸、及びＺ軸は、互いに直交する。また、図２〜図４において、Ｚ１は、鉛直方向上側を表し、Ｚ２は、鉛直方向下側を表す。まず、インクジェット記録装置の構成を説明する。
【００６６】
＜インクジェット記録装置の構成＞
インクジェット記録装置１は、給紙部２と、液体収容部３と、ノズルヘッド４と、用紙搬送部６と、排出部７と、クリーニング部材８と、制御部９とを備える。
【００６７】
給紙部２は、給紙カセット２１と、給紙ローラー２２ａとを有する。給紙カセット２１には、複数の記録媒体（例えばコピー用紙）Ｓが重ねられた状態で収納されている。
【００６８】
液体収容部３には、カートリッジ３１が設けられている。カートリッジ３１は、インクジェット記録装置１に着脱自在に装着される。カートリッジ３１は、水性インクと、本実施形態に係る水性洗浄液と、第１タンク３２と、第２タンク３３とを有する。第１タンク３２は、水性インクを収容する。第２タンク３３は、本実施形態に係る水性洗浄液を収容する。
【００６９】
（ノズルヘッド）
図２を用いて、ノズルヘッド４の構成を説明する。ノズルヘッド４は、水性インクを吐出するとともに、水性洗浄液を供給する。そのため、ノズルヘッド４の下面には、水性インクが吐出される領域（第１領域Ｒ１）と、水性洗浄液が供給される領域（第２領域Ｒ２）とが、存在する。ノズルヘッド４は、図２に示すように、記録ヘッド４１と、洗浄液供給部１４１とを有する。記録ヘッド４１は、水性インクを吐出する。よって、第１領域Ｒ１は、記録ヘッド４１の下面４２に位置する。つまり、記録ヘッド４１の下面４２が吐出面に相当する。また、洗浄液供給部１４１は、水性洗浄液を供給する。よって、第２領域Ｒ２は、洗浄液供給部１４１の下面１４２に位置する。
【００７０】
記録ヘッド４１は、ラインヘッドであり、記録媒体Ｓの搬送方向に対して垂直な方向に延びる。そのため、記録ヘッド４１の長手方向は、Ｘ軸方向に対して平行である。洗浄液供給部１４１は、記録ヘッド４１の長手方向の一端に固定されている。以下、記録ヘッド４１の構成と洗浄液供給部１４１の構成とを順に説明する。
【００７１】
（ノズルヘッド：記録ヘッド）
記録ヘッド４１は、インク流路により、第１タンク３２に接続されている。水性インクは、ポンプにより第１タンク３２から汲み上げられてインク流路の上流端へ供給され、インク流路の上流端からインク流路の下流端まで移動して記録ヘッド４１に供給される。
【００７２】
記録ヘッド４１は、複数のインク用ノズル４７を有する。インク用ノズル４７は、各々、記録ヘッド４１の下面４２の中央領域において開口し、水性インクをインク用ノズル４７の開口（吐出口）４８から鉛直方向下側Ｚ２へ吐出する。
【００７３】
なお、記録ヘッド４１は、シリアルヘッドであってもよい。少なくとも記録ヘッド４１の下面４２は、ステンレス鋼（ＳＵＳ）で構成されていることが好ましい。記録ヘッド４１の下面４２におけるインク用ノズル４７の開口４８の個数、大きさ、外形、及び配置は、何れも、特に限定されない。水性インクの吐出方式は、特に限定されず、ピエゾ方式であってもよいし、サーマル方式であってもよい。ピエゾ方式は、ピエゾ素子を利用して水性インクを吐出させる方式である。サーマル方式は、加熱により気泡を発生させて水性インクを吐出させる方式である。
【００７４】
（ノズルヘッド：洗浄液供給部）
洗浄液供給部１４１は、洗浄液流路により、第２タンク３３に接続されている。水性洗浄液は、ポンプにより第２タンク３３から汲み上げられて洗浄液流路の上流端へ供給され、洗浄液流路の上流端から洗浄液流路の下流端まで移動して洗浄液供給部１４１に供給される。
【００７５】
洗浄液供給部１４１は、筐体１４３と、板状の蓋体１４５とを有する。蓋体１４５は、筐体１４３よりも、鉛直方向下側Ｚ２に位置する。そのため、蓋体１４５が、洗浄液供給部１４１の下面１４２を構成する。
【００７６】
筐体１４３の内部空間は、洗浄液流路の内部空間に連通しており、筐体１４３は、洗浄液流路から供給された洗浄液を収容する。筐体１４３は、記録ヘッド４１の側壁に接する側壁（中央側側壁）と、中央側側壁とは反対側に位置する側壁（周縁側側壁）と、第１傾斜部１４３Ａとを有する。第１傾斜部１４３Ａは、周縁側側壁の鉛直方向下端に接続されている。第１傾斜部１４３Ａは、鉛直方向上側Ｚ１から鉛直方向下側Ｚ２へ進むにつれて中央側側壁に近づくように傾斜するが、中央側側壁に接触しない。このような筐体１４３は、鉛直方向下側Ｚ２において開口する。
【００７７】
蓋体１４５は、折曲部を有し、折曲部を挟んで第２傾斜部１４５Ａと水平部１４５Ｂとをさらに有する。第２傾斜部１４５Ａは、第１傾斜部１４３Ａの下面に当接する。水平部１４５Ｂは、折曲部から記録ヘッド４１の下面４２の周縁領域へ向かって水平方向に延び、記録ヘッド４１の下面４２の周縁領域に固定されている。そのため、水平部１４５Ｂが筐体１４３の開口を塞ぐ。
【００７８】
洗浄液供給部１４１は、洗浄液用ノズル１４７をさらに有する。洗浄液用ノズル１４７の内部空間は、筐体１４３の内部空間に連通しており、洗浄液用ノズル１４７は、洗浄液供給部１４１の下面１４２（より具体的には蓋体１４５の水平部１４５Ｂの下面）において開口する。洗浄液用ノズル１４７は、水性洗浄液を、洗浄液用ノズル１４７の開口１４８から鉛直方向下側Ｚ２へ突出する液滴（図３に示す液滴５２を参照。以下、「半球状の液滴」と記載する）の状態で、洗浄液供給部１４１の下面１４２に供給する。詳しくは、水性洗浄液は、記録ヘッド４１のメンテナンス時には、半球状の液滴の状態で洗浄液供給部１４１の下面１４２に供給される（図３参照）。一方、水性洗浄液は、記録ヘッド４１のメンテナンス時以外（例えば水性インクの吐出時）には、洗浄液用ノズル１４７の開口１４８から鉛直方向下側Ｚ２へ突出しない状態で洗浄液用ノズル１４７の内部に保持されることが好ましい。これにより、水性洗浄液が記録媒体Ｓに付着することを防止できる。
【００７９】
洗浄液用ノズル１４７の内径が小さくなると、半球状の液滴（図３の液滴５２を参照）の半径が小さくなる傾向にあるため、水性洗浄液を半球状の液滴の状態で保持し易い傾向にある。一方、洗浄液用ノズル１４７の内径が大きくなると、半球状の液滴の半径が大きくなる傾向にあるため、水性洗浄液の保持量（洗浄液用ノズル１４７の開口１４８の近傍に保持される水性洗浄液の量）が多くなる傾向にある。これらを考慮して、洗浄液用ノズル１４７の内径を決定することが好ましい。例えば、洗浄液用ノズル１４７の内径は、１０μｍ以上２００μｍ以下であることが好ましく、より好ましくは４０μｍ以上１５０μｍ以下である。なお、洗浄液用ノズル１４７の内径が１０μｍ未満であれば、洗浄液用ノズル１４７の加工が困難になることがある。
【００８０】
なお、少なくとも洗浄液供給部１４１の下面１４２は、樹脂で構成されていることが好ましい。洗浄液供給部１４１の下面１４２における洗浄液用ノズル１４７の開口１４８の個数、大きさ、外形、及び配置は、何れも、特に限定されない。以上、図２を用いてノズルヘッド４の構成を説明した。
【００８１】
図１に戻って、インクジェット記録装置１の構成の説明を続ける。用紙搬送部６は、図１に示すように、第１搬送ユニット６１と、第２搬送ユニット６２とを有する。排出部７は、排出トレイ７１を有する。
【００８２】
クリーニング部材８は、ブレード８１（図４参照）を有する。ブレード８１は、各々、ノズルヘッド４の下面に対面する位置と第２搬送ユニット６２に対面する位置（図１参照）との間を移動する。また、ブレード８１は、図４に示すように、上昇方向Ｄ１と下降方向Ｄ２との各々の方向に沿って移動する。「上昇方向Ｄ１」とは、Ｚ軸方向に沿って鉛直方向上側Ｚ１へ向かう方向を意味する。「下降方向Ｄ２」とは、Ｚ軸方向に沿って鉛直方向下側Ｚ２へ向かう方向を意味する。
【００８３】
また、ブレード８１は、ノズルヘッド４の下面に当接しながら、ワイピング方向Ｄ３に沿って移動する。より具体的には、ブレード８１は、ノズルヘッド４の下面に当接しながら、ノズルヘッド４の下面に沿って洗浄液供給部１４１の下面１４２に当接する位置から記録ヘッド４１の下面４２に当接する位置へ移動する。つまり、ブレード８１は、洗浄液供給部１４１の下面１４２と記録ヘッド４１の下面４２とに順に当接しながら、記録ヘッド４１の長手方向に沿って移動する。ここで、「ワイピング方向Ｄ３」とは、ノズルヘッド４の下面に沿って洗浄液供給部１４１の下面１４２に当接する位置から記録ヘッド４１の下面４２に当接する位置へ向かう方向を意味する。
【００８４】
制御部９は、インクジェット記録装置１を制御して、画像形成を実行する。制御部９がＲＯＭに記憶させた所定の制御プログラムをＣＰＵで実行することによって、インクジェット記録装置１は画像を形成できる。
【００８５】
＜画像形成方法＞
次に、インクジェット記録装置１を用いた画像形成方法を説明する。インクジェット記録装置１を用いた画像形成方法は、制御部９がＲＯＭに記憶させた所定の制御プログラムをＣＰＵで実行することによって、行われる。
【００８６】
詳しくは、まず、制御部９が、給紙ローラー２２ａを、給紙カセット２１において最上に収納された記録媒体Ｓに接触させる。次に、制御部９が、記録媒体Ｓ（給紙ローラー２２ａに接触している記録媒体Ｓ）を、給紙カセット２１から取り出して、第１搬送ユニット６１へ送出する。記録媒体Ｓが記録ヘッド４１の下面４２に対面する位置に到達すると、制御部９が、水性インクを、第１タンク３２から記録ヘッド４１へ供給して、インク用ノズル４７の開口４８から鉛直方向下側Ｚ２へ吐出させる（吐出工程）。吐出工程が終了したら、制御部９が、記録媒体Ｓ（画像が形成された記録媒体Ｓ）を、第２搬送ユニット６２へ送出して、排出トレイ７１から排出させる。その後、制御部９が記録ヘッド４１のメンテナンスを行う。
【００８７】
（記録ヘッドのメンテナンス動作）
図３及び図４を用いて、記録ヘッド４１のメンテナンス動作（洗浄方法）を説明する。
まず、制御部９が、水性インクを、第１タンク３２から記録ヘッド４１へ供給する。その後、制御部９が、水性インクを、インク用ノズル４７の開口４８から鉛直方向下側Ｚ２へ排出させる（パージ工程）。これにより、図３に示すように、記録ヘッド４１の下面４２には、パージインク５１が供給される。
【００８８】
次に、制御部９が、水性洗浄液を、第２タンク３３から洗浄液供給部１４１へ供給する。その後、制御部９が、水性洗浄液を、半球状の液滴５２の状態で洗浄液供給部１４１の下面１４２に供給する（供給工程）。水性洗浄液を供給する工程は、パージ工程よりも前に行われてもよいし、パージ工程と同時に行われてもよい。
【００８９】
続いて、制御部９が、ブレード８１を、第２搬送ユニット６２に対面する位置からノズルヘッド４の下面に対面する位置へ移動させた後、上昇方向Ｄ１に沿って移動させる。これにより、ブレード８１は、第２傾斜部１４５Ａよりも、記録ヘッド４１の長手方向における端部寄りに、配置される（図４において破線で示されたブレード８１を参照）。その後、制御部９が、ブレード８１を、ノズルヘッド４の下面に当接させながらワイピング方向Ｄ３に沿って移動させる（ワイプ工程）。これにより、ブレード８１は、上端が第２傾斜部１４５Ａの下面と水平部１４５Ｂの下面と記録ヘッド４１の下面４２とに順に接触しながら、記録ヘッド４１の長手方向に沿って移動する。
【００９０】
ブレード８１の上端は、第２傾斜部１４５Ａの下面に接触すると、湾曲する（図４において実線で示されたブレード８１を参照）。これにより、ブレード８１は、上端が湾曲した状態で水平部１４５Ｂの下面に接触しながら、ワイピング方向Ｄ３に沿って移動する。よって、ブレード８１は、水性洗浄液（半球状の液滴５２の状態で洗浄液供給部１４１の下面１４２に供給された水性洗浄液）を押しながら、ワイピング方向Ｄ３に沿って移動する。このようにして、水性洗浄液が記録ヘッド４１の下面４２に供給される。そして、ブレード８１が記録ヘッド４１の下面４２に当接しながらワイピング方向Ｄ３に沿ってさらに移動することで、固着インクとパージインク５１と水性洗浄液とを記録ヘッド４１の下面４２から除去できる。
【００９１】
ワイプ工程が終了したら、制御部９が、ブレード８１を、下降方向Ｄ２に沿って移動させた後、第２搬送ユニット６２に対面する位置へ移動させる。このようにして、記録ヘッド４１のメンテナンスが終了する。
【００９２】
以上説明したように、インクジェット記録装置１では、本実施形態に係る水性洗浄液が第２タンク３３に収容されている。前述の［水性洗浄液］で説明したように、本実施形態では、乾燥時の水性洗浄液の粘度（２５℃）が９ｍＰａ・ｓ以上１３ｍＰａ・ｓ以下である。そのため、水性洗浄液の粘度が高くなり過ぎることを防止できるとともに、水性洗浄液の粘度が低くなり過ぎることを防止できる。これにより、水性洗浄液を供給する工程において、水性洗浄液を半球状の液滴５２の状態で洗浄液供給部１４１の下面１４２に供給できる。よって、続くワイプ工程では、所望量の水性洗浄液を記録ヘッド４１の下面４２に供給できる。また、水性洗浄液の粘度が低くなり過ぎることを防止できるため、ワイプ動作において、水性洗浄液がブレード８１をつたって鉛直方向下側Ｚ２に流れ落ちることを防止できる。これらのことから、水性洗浄液の浸入量を確保し易い。したがって、インクジェット記録装置１は、インクの吐出の再開を試みた場合であっても、インクの吐出性能の低下を防止できる。
【００９３】
また、前述の［水性洗浄液］で説明したように、本実施形態では、アンドレード式におけるＥ／Ｒ値が３．１５×１０3ｍＰａ・ｓ×Ｋ以上３．４５×１０3ｍＰａ・ｓ×Ｋ以下である。そのため、インクジェット記録装置１の動作温度が変化した場合であっても、水性洗浄液の粘度が高くなり過ぎることを防止できるとともに水性洗浄液の粘度が低くなり過ぎることを防止できる。これにより、インクジェット記録装置１の動作温度が変化した場合であっても、水性洗浄液を供給する工程において、水性洗浄液を半球状の液滴５２の状態で洗浄液供給部１４１の下面１４２に供給できる。よって、続くワイプ工程では、所望量の水性洗浄液を記録ヘッド４１の下面４２に供給できる。また、インクジェット記録装置１の動作温度が変化した場合であっても、水性洗浄液の粘度が低くなり過ぎることを防止できるため、ワイプ動作において、水性洗浄液がブレード８１をつたって鉛直方向下側Ｚ２に流れ落ちることを防止できる。これらのことから、インクジェット記録装置１の動作温度が変化した場合であっても、水性洗浄液の浸入量を確保し易い。したがって、インクジェット記録装置１は、動作温度が変化した場合であっても、インクの吐出性能の低下を防止できる。
【００９４】
また、ワイプ工程では、ブレード８１は、まず、第２傾斜部１４５Ａの下面に接触する。そのため、ワイプ工程においてブレード８１に作用する負荷を小さくできる。これにより、ブレード８１の経時劣化を軽減できる。よって、耐久時においても、ワイプ動作を行うことができる。したがって、インクジェット記録装置１は、耐久時においても、インクの吐出性能に優れる。
【００９５】
さらに、洗浄液供給部１４１の下面１４２は、記録ヘッド４１の下面４２よりも、鉛直方向下側Ｚ２に位置する。これにより、ブレード８１の上端が記録ヘッド４１の下面４２に接触しているときには、ブレード８１の上端が洗浄液供給部１４１の下面１４２に接触しているときに比べ、ブレード８１の上端の湾曲具合が緩和される。このことによっても、ワイプ工程においてブレード８１に作用する負荷を小さくできるため、インクジェット記録装置１は、耐久時においても、インクの吐出性能に優れる。
【００９６】
なお、インクジェット記録装置１の構成は、図１及び図２に示す構成に限定されない。例えば、洗浄液用ノズル１４７は記録ヘッド４１に設けられていてもよい。しかし、洗浄液用ノズル１４７が記録ヘッド４１とは異なる部材に設けられていれば、洗浄液を供給する機構（例えば洗浄液流路と洗浄液用ノズル１４７）を記録ヘッド４１に設ける必要がない。そのため、記録ヘッド４１の構成が複雑化することを防止できる。記録ヘッド４１の構成が複雑化することを防止できれば、記録ヘッド４１の加工コストを抑えることができるため、インクジェット記録装置１を比較的低コストで提供できる。また、記録ヘッド４１の構成が複雑化することを防止できれば、記録ヘッド４１の大型化を防止できるため、インクジェット記録装置１の大型化を防止できる。これらのことから、ノズルヘッド４は、記録ヘッド４１とは別に洗浄液供給部１４１を有することが好ましい。
【００９７】
また、水平部１４５Ｂは、折曲部から記録ヘッド４１の下面４２の周縁領域へ向かって水平方向に延びていなくてもよい。例えば、水平部１４５Ｂの端面は、中央側側壁よりも折曲部寄りに位置していてもよい。しかし、水平部１４５Ｂが折曲部から記録ヘッド４１の下面４２の周縁領域へ向かって水平方向に延びていれば、ワイプ工程において、水性洗浄液が記録ヘッド４１の下面４２と蓋体１４５との間に浸入することを防止できる。そのため、水性洗浄液の浸入に起因して記録ヘッド４１の下面４２が汚染されることを防止できる。これにより、ワイプ動作を繰り返し行っても、記録ヘッド４１の下面４２が水性洗浄液で汚染されることを防止できる。よって、インクの吐出性能が耐久時において低下することを防止できる。したがって、水平部１４５Ｂは、折曲部から記録ヘッド４１の下面４２の周縁領域へ向かって水平方向に延びていることが好ましい。
【実施例】
【００９８】
本発明の実施例を説明する。なお、複数の粒子を含む粉体に関する評価結果（形状又は物性などを示す値）は、何ら規定していなければ、相当数の粒子について測定した値の個数平均である。誤差が生じる評価においては、誤差が十分小さくなる相当数の測定値を得て、得られた測定値の算術平均を評価値とした。
【００９９】
実施例及び比較例に係る水性洗浄液Ａ−１〜Ａ−１０を用いて、ノズル面における固着インクの拭き取り性能と、水性インクの着弾精度とを、評価した。水性洗浄液Ａ−１〜Ａ−１０の製造方法、物性値の測定方法、評価方法及び評価結果を順に説明する。
【０１００】
［水性洗浄液の製造方法］
表１に、水性洗浄液Ａ−１〜Ａ−５の各構成を示す。表２に、水性洗浄液Ａ−６〜Ａ−１０の各構成を示す。表１及び表２において、「ＥＧ」はエチレングリコールを意味し、「１，３−ＰＧ」は１，３−プロパンジオールを意味し、「ＢＴＧ」はトリエチレングリコールモノブチルエーテルを意味する。界面活性剤は、ポリオキシアルキレンアルキルアミン（アミン型界面活性剤）（三洋化成工業株式会社製「ピュアミールＥＰ−３００Ｓ」）を意味する。「ＮａＯＨ水溶液」は、濃度が０．１ＮであるＮａＯＨ水溶液を意味する。「乾燥時の粘度」には、乾燥時の水性洗浄液の粘度（２５℃）を記す。「Ｅ／Ｒ」には、アンドレード式におけるＥ／Ｒ値を１×１０3で除した値を記す。
【０１０１】
【表１】
2018202746.tif 000004
【０１０２】
【表２】
2018202746.tif 000005
【０１０３】
表１及び表２に記載の材料を、表１及び表２に記載の配合量でビーカーに入れた。攪拌機（新東科学株式会社製「スリーワンモーター（登録商標）  ＢＬ−６００」）を用いてビーカーの内容物を回転速度４００ｒｐｍで攪拌して、ビーカーの内容物を均一に混合した。フィルター（孔径５μｍ）を用いて得られた混合液をろ過し、混合液に含有される異物及び粗大粒子を除去した。このようにして、水性洗浄液Ａ−１〜Ａ−１０を得た。
【０１０４】
［水性洗浄液の物性値の測定方法］
＜乾燥時の水性洗浄液の粘度（２５℃）の測定方法＞
容器（容積：１００ｍＬ、開口径：２．５ｃｍ、高さ：７．５ｃｍ）に、１００ｇの水性洗浄液（より具体的には水性洗浄液Ａ−１〜Ａ−１０の各々）を入れた。蓋を開けた状態で容器を恒温槽（設定温度：６０℃）に入れ、１週間静置した。容器を恒温槽から取り出し、容器の温度が室温（２５℃）に戻るまで容器を静置した。その後、「ＪＩＳ  Ｚ  ８８０３：２０１１（液体の粘度測定方法）」に記載の方法に準拠して、２５℃における水性洗浄液の粘度を測定した。結果を表１及び表２に示す。
【０１０５】
＜アンドレード式におけるＥ／Ｒ値の算出方法＞
「ＪＩＳ  Ｚ  ８８０３：２０１１（液体の粘度測定方法）」に記載の方法に準拠して、１０℃、１５℃、２０℃、２５℃、３０℃、３５℃及び４０℃における水性洗浄液（より具体的には水性洗浄液Ａ−１〜Ａ−１０の各々）の粘度を測定した。横軸に絶対温度の逆数値をとり、縦軸に水性洗浄液の粘度の自然対数値をとったグラフにおいて、得られたデータをプロットした。プロットされたデータを最小二乗法で直線に近似して、その直線の傾きを求めた。結果を表１及び表２に示す。
【０１０６】
［水性洗浄液の評価方法］
＜水性インクの製造方法＞
評価に使用する水性インクを製造した。製造した水性インクは、シアン顔料を含有する水性インク（シアンインク）と、イエロー顔料を含有する水性インク（イエローインク）と、マゼンタ顔料を含有する水性インク（マゼンタインク）と、ブラック顔料を含有する水性インク（ブラックインク）とを、含んでいた。以下では、シアンインクの製造方法を主に説明する。なお、水性インクの色を表記する必要がない場合には、「水性インク」と記載する。
【０１０７】
（樹脂Ａの合成）
まず、樹脂Ａを合成した。詳しくは、四つ口フラスコ（容量１０００ｍＬ）に、スターラーと、窒素導入管と、コンデンサー（攪拌機）と、滴下ロートとをセットした。次に、フラスコに、１００ｇのイソプロピルアルコールと３００ｇのメチルエチルケトンとを入れた。フラスコ内容物に窒素をバブリングしながら、７０℃で加熱還流を行った。
【０１０８】
また、４０．０ｇのスチレンと、１０．０ｇのメタクリル酸と、４０．０ｇのメタクリル酸メチルと、１０．０ｇのアクリル酸ｎ−ブチルと、０．４００ｇのアゾビスイソブチロニトリル（ＡＩＢＮ、重合開始剤）とを混合して、モノマー溶液を得た。７０℃で加熱還流させた状態で、約２時間かけて、モノマー溶液をフラスコに滴下した。滴下後、さらに６時間、７０℃で加熱還流を行った。
【０１０９】
０．２００ｇのＡＩＢＮとメチルエチルケトンとを含有する溶液を、１５分かけて、フラスコに滴下した。滴下後、さらに５時間、７０℃で加熱還流を行った。このようにして、樹脂Ａ（スチレン−アクリル酸系樹脂）を得た。得られた樹脂Ａでは、質量平均分子量（Ｍｗ）が２００００であり、酸価が１００ｍｇＫＯＨ／ｇであった。
【０１１０】
ここで、樹脂Ａの質量平均分子量Ｍｗは、ゲルろ過クロマトグラフィー（東ソー株式会社製「ＨＬＣ−８０２０ＧＰＣ」）を用いて、下記条件で、測定された。
カラム：東ソー株式会社製「ＴＳＫｇｅｌ  ＳｕｐｅｒＭｕｌｔｉｐｏｒｅＨＺ−Ｈ」（４．６ｍｍＩ．Ｄ．×１５ｃｍのセミミクロカラム）
カラム本数：３本
溶離液：テトラヒドロフラン
流速：０．３５ｍＬ／分
サンプル注入量：１０μＬ
測定温度：４０℃
検出器：ＩＲ検出器
なお、検量線は、東ソー株式会社製のＴＳＫｇｅｌ標準ポリスチレンから、Ｆ−４０、Ｆ−２０、Ｆ−４、Ｆ−１、Ａ−５０００、Ａ−２５００、及びＡ−１０００の７種とｎ−プロピルベンゼンとを選択して作成された。
【０１１１】
また、樹脂Ａの酸価は、「ＪＩＳ（日本工業規格）Ｋ００７０−１９９２（化学製品の酸価、けん化価、エステル価、よう素価、水酸基価及び不けん化物の試験方法）」に記載の方法に準拠して、求められた。
【０１１２】
（顔料分散液Ｌ１の調製）
次に、合成された樹脂Ａを用いて、表３に示す構成を有する顔料分散液Ｌ１を調製した。詳しくは、メディア型分散機（ウィリー・エ・バッコーフェン社（ＷＡＢ社）製「ダイノミル」）のベッセル（容量０．６Ｌ）に、６．０質量％の樹脂Ａと、１５．０質量％のフタロシアニンブルー１５：３（シアン顔料、東洋インキ株式会社製「リオノール（登録商標）ブルーＦＧ−７３３０」）と、０．５質量％の１，２−オクタンジオールと、イオン交換水（残量）とを入れた。
【０１１３】
また、樹脂Ａの中和に必要な量の水酸化ナトリウム水溶液をベッセルに加えた。ここで、ベッセル内容物のｐＨが８になるように、ＮａＯＨ水溶液をベッセルに加えた。より具体的には、中和当量の１．１倍の質量のＮａＯＨ水溶液をベッセルに加えた。なお、顔料分散液Ｌ１を構成する材料の配合量を決定するさいには、ベッセルに加えるべきＮａの質量を樹脂Ａの質量に加えた。また、ＮａＯＨ水溶液に含まれる水の質量と中和反応で生じた水の質量とをイオン交換水の質量に加えた。
【０１１４】
充填量がベッセルの容量に対して７０体積％となるように、メディア（径が０．５ｍｍのジルコニアビーズ）をベッセルに充填した。温度が１０℃であり且つ周速が８ｍ／秒である条件でベッセルを水冷しながら、顔料粒子の体積中位径（Ｄ50）が７０ｎｍ以上１３０ｎｍ以下の範囲に入るようにメディア型分散機を用いてベッセル内容物を混練した。このようにして、顔料分散液Ｌ１が得られた。
【０１１５】
ここで、顔料粒子の体積中位径（Ｄ50）は、レーザー回折式粒度分布測定装置（マルバーン社製の「Ｚｅｔａｓｉｚｅｒ  ｎａｎｏ−ＺＳ（ゼータサイザー  ナノＺＳ）」）を用いて測定した値である。
【０１１６】
【表３】
2018202746.tif 000006
【０１１７】
表３において、「樹脂Ａ−Ｎａ」とは、水酸化ナトリウム（ＮａＯＨ）水溶液で中和された樹脂Ａを意味する。また、「顔料」は、シアン顔料とイエロー顔料とマゼンタ顔料とブラック顔料とのうちの何れか１つを意味する。
【０１１８】
（顔料分散液Ｌ１と他のインク成分との混合）
表４に記載の材料を、表４に記載の配合量でビーカーに入れた。攪拌機（新東科学株式会社製「スリーワンモーター  ＢＬ−６００」）を用いてビーカーの内容物を回転速度４００ｒｐｍで攪拌して、ビーカーの内容物を均一に混合した。フィルター（孔径５μｍ）を用いて得られた混合液をろ過し、混合液に含有される異物及び粗大粒子を除去した。このようにして、シアンインクを得た。
【０１１９】
顔料としてＣ．Ｉ．ピグメントイエロー７４を用いて、イエローインクを得た。また、顔料としてキナクリドン・マゼンタ（ＰＲ１２２）を用いて、マゼンタインクを得た。また、顔料としてカーボンブラックを用いて、ブラックインクを得た。このようにして、水性インクを得た。
【０１２０】
【表４】
2018202746.tif 000007
【０１２１】
表４において、「ＥＤＧ」はエチルジグリコールを意味し、「１，３−ＰＧ」は１，３−プロパンジオールを意味し、「ＢＴＧ」はトリエチレングリコールモノブチルエーテルを意味する。「界面活性剤」は、アセチレン型界面活性剤を意味し、より具体的には日信化学工業株式会社製「オルフィン（登録商標）Ｅ１０１０」を意味する。「ＮａＯＨ水溶液」は、濃度が０．１ＮであるＮａＯＨ水溶液を意味する。
【０１２２】
＜評価機の準備方法＞
評価に使用する評価機を準備した。詳しくは、図１に示す構成を有するインクジェット記録装置（京セラドキュメントソリューションズ株式会社製の試作機）を用いた。そのため、評価機は、水性インクを収容する第１タンクを４つ備え、水性洗浄液（より具体的には水性洗浄液Ａ−１〜Ａ−１０の各々）を収容する第２タンクを１つ備えていた。また、評価機は、図２に示すノズルヘッドを４つ備えていた。ノズルヘッドは、各々、記録ヘッドと、洗浄液供給部とを有していた。
【０１２３】
記録ヘッドには、各々、第１タンクが接続されていた。詳しくは、４つの第１タンクには、互いに色の異なる水性インクが充填されており、記録ヘッドには、互いに異なる第１タンクが接続されていた。記録ヘッドには、各々、複数のインク用ノズルが設けられていた。インク用ノズルは、各々、下面において開口し、水性インクの吐出時とパージインクの排出時とには水性インクをインク用ノズルの開口から鉛直方向下側へ吐出可能であった。
【０１２４】
より具体的には、記録ヘッドは、各々、解像度３６０ｄｐｉ（＝１８０ｄｐｉ×２列）、ノズル数５１２個（＝２５６個×２列）、液滴量１４ｐＬ、駆動周波数１２．８ｋＨｚのピエゾ型ラインヘッド（コニカミノルタ株式会社製）であった。また、記録ヘッドは、その長手方向が紙の搬送方向に直交するように、間隔２０ｍｍで配列されていた。なお、記録ヘッドの下面（ノズル面）は、何れも、洗浄されており、水性インクで汚染されていなかった。
【０１２５】
洗浄液供給部は、記録ヘッドの各々の長手方向の一端に、固定されていた。洗浄液供給部には、各々、第２タンクが接続されており、複数の洗浄液用ノズルが設けられていた。洗浄液用ノズルは、各々、洗浄液供給部の下面において開口し、記録ヘッドのメンテナンス時には水性洗浄液を半球状の液滴の状態で洗浄液供給部の下面に供給可能であった。
【０１２６】
評価機は、ブレードをさらに備えていた。ブレードは、ノズルヘッドの下面に当接しながら、ノズルヘッドの下面に沿って洗浄液供給部の下面に当接する位置から記録ヘッドの下面に当接する位置へ移動した。また、評価機は、画像形成を実行する制御部をさらに備えていた。制御部がＲＯＭに記憶させた所定の制御プログラムをＣＰＵで実行することによって、評価機は画像を形成することが可能であった。
【０１２７】
＜ノズル面における固着インクの拭き取り性能の評価＞
評価機の動作温度を１０℃、２５℃及び４０℃に変更して、ノズル面における固着インクの拭き取り性能を評価した。以下では、評価機の動作温度が２５℃である場合の拭き取り性能の評価方法を主に説明する。
【０１２８】
（評価機の動作温度が２５℃である場合の拭き取り性能の評価）
まず、準備した評価機を用いて、耐刷試験を行った。耐刷試験は、温度２５℃且つ湿度６０％ＲＨの環境下で、搬送速度３５０ｍｍ／秒の条件で、行われた。耐刷試験では、色が互いに異なるソリッド画像（サイズ１０ｃｍ×１０ｃｍ、印字率１００％）を、記録シート（富士ゼロックス株式会社製「Ｃ２」、Ａ４サイズの普通紙）上に重なるように形成し、記録シート５０００枚に連続して印刷した。
【０１２９】
耐刷試験の後、記録ヘッドのメンテナンスを行った。詳しくは、まず、評価機の制御部が、水性インクを、インク用ノズルの開口から鉛直方向下側へ排出させた。次に、制御部が、水性洗浄液を、洗浄液用ノズルの開口から鉛直方向下側へ排出させて、半球状の液滴の状態で洗浄液供給部の下面に供給した。続いて、制御部が、ブレードを、ノズルヘッドの下面に当接させながらワイピング方向に沿って移動させた。このようにして、記録ヘッドのメンテナンスを行った。
【０１３０】
ワイプ動作の後、光学顕微鏡を用いてノズル面を観察した。そして、ノズル面におけるインク汚れの有無を確認した。ノズル面における固着インクの拭き取り性能の評価基準を以下に示す。また、評価結果を表５に示す。このようにして、評価機の動作温度が２５℃である場合の拭き取り性能を評価した。
優良（◎）：ノズル面においてインク汚れが全く確認されなかった。
不良（×）：ノズル面においてインク汚れが明確に確認された。
【０１３１】
（評価機の動作温度が１０℃である場合の拭き取り性能の評価）
耐刷試験を温度１０℃且つ湿度１５％ＲＨの環境下で行ったことを除いては前述の方法に従い、動作温度が１０℃である場合の拭き取り性能を評価した。評価結果を表５に示す。
【０１３２】
（評価機の動作温度が４０℃である場合の拭き取り性能の評価）
耐刷試験を温度４０℃且つ湿度１５％ＲＨの環境下で行ったことを除いては前述の方法に従い、動作温度が４０℃である場合の拭き取り性能を評価した。評価結果を表５に示す。
【０１３３】
＜水性インクの着弾精度の評価＞
まず、初期の着弾精度（３σ値）を求めた。
次に、前述の（評価機の動作温度が２５℃である場合の拭き取り性能の評価）に記載の方法に従い、耐刷試験と記録ヘッドのメンテナンスとを行った。その後、１週間、評価機を放置した。その後、着弾精度（３σ値）を求めた。このようにして求められた着弾精度（３σ値）を放置後の着弾精度（３σ値）と記載する。
【０１３４】
初期の着弾精度（３σ値）と放置後の着弾精度（３σ値）との差が３未満であれば、１週間放置後における水性インクの着弾精度は良好である（○）と評価した。一方、初期の着弾精度（３σ値）と放置後の着弾精度（３σ値）との差が３以上であれば、１週間放置後における水性インクの着弾精度は不良である（×）と評価した。評価結果を表５に示す。
【０１３５】
着弾精度（３σ値）は、次に示す方法で、求められた。詳しくは、記録シートを搬送しない状態（スタンプ式）で、記録シートに対して４つの記録ヘッドの全ノズルから１ドット吐出を行った。次に、記録シート上の各ドットについて、汎用画像処理システム（王子計測機器株式会社製「ＤＡ−６０００」）を用いて、着弾精度３σを測定した。得られた測定データ（各ドットの着弾精度３σ）の算術平均値を着弾精度（３σ値）とした。
【０１３６】
着弾精度３σは、式「３σ＝３√（σx2＋σy2）」で表される着弾精度を意味する。式において、σxは、ノズル設計位置からのＸ方向の位置ずれ量の標準偏差を意味する。また、σyは、ノズル設計位置からのＹ方向の位置ずれ量の標準偏差を意味する。
【０１３７】
［水性洗浄液の評価結果］
表５に、水性洗浄液Ａ−１〜Ａ−１０の評価結果を示す。表５において、「乾燥時の粘度」には、乾燥時の水性洗浄液の粘度（２５℃）を記す。「Ｅ／Ｒ」には、アンドレード式におけるＥ／Ｒ値を１×１０3で除した値を記す。「評価Ａ」は、ノズル面における固着インクの拭き取り性能の評価を意味する。「評価Ａ」の「１０℃」、「２５℃」及び「４０℃」には、各々、評価機の動作温度が１０℃、２５℃及び４０℃である場合の拭き取り性能の評価結果を記す。「評価Ｂ」には、１週間放置後における水性インクの着弾精度の評価結果を記す。
【０１３８】
【表５】
2018202746.tif 000008
【０１３９】
［考察］
実施例１〜３に係る水性洗浄液（水性洗浄液Ａ−１〜Ａ−３）は、各々、非イオン性界面活性剤と、グリコール類と、グリコールエーテル類とを含有していた。非イオン性界面活性剤は、アミン型界面活性剤を含んでいた。乾燥時の水性洗浄液の粘度（２５℃）が９ｍＰａ・ｓ以上１３ｍＰａ・ｓ以下であった。アンドレード式におけるＥ／Ｒ値が３．１５×１０3ｍＰａ・ｓ×Ｋ以上３．４５×１０3ｍＰａ・ｓ×Ｋ以下であった。
【０１４０】
実施例１〜３に係る水性洗浄液は、インクジェット記録装置の動作温度が１０℃以上４０℃以下の温度範囲で変化した場合であっても、ノズル面における固着インクの拭き取り性能に優れていた。また、実施例１〜３に係る水性洗浄液は、水性洗浄液が吐出面へ供給されてから１週間が経過しても、水性インクの着弾精度を高く維持できた。
【産業上の利用可能性】
【０１４１】
本発明に係る水性洗浄液は、例えば、インクジェット装置の吐出面の洗浄に用いることができる。
【符号の説明】
【０１４２】
１    インクジェット記録装置
４    ノズルヘッド
８    クリーニング部材
３２    第１タンク
３３    第２タンク
４１    記録ヘッド
４２    下面
４７    インク用ノズル
４８    開口
５２    液滴
１４１    洗浄液供給部
１４２    下面
１４７    洗浄液用ノズル
１４８    開口
Ｒ１    第１領域
Ｒ２    第２領域
Ｚ２    鉛直方向下側
【図１】
2018202746.tif 000010
【図２】
2018202746.tif 000011
【図３】
2018202746.tif 000012
【図４】
2018202746.tif 000013